(57)【特許請求の範囲】
【請求項１】
固定ネットワーク内のエッジルーティング装置を介してモバイルコアネットワークに接続されたモバイル基地局を有するモバイル通信システムにおいて、前記固定ネットワークを前記モバイルコアネットワークと接続するゲートウェイにおいて、前記モバイル基地局にサービスを提供するための第１のサービス提供装置であって、
前記モバイルコアネットワークからサービスデータを取得するように構成された第１のサービスデータ取得装置と、
前記モバイルコアネットワークからの前記サービスデータがマルチキャストサービスのデータである場合は、前記マルチキャストサービスの前記データを、前記ゲートウェイと前記固定ネットワーク内のエッジルーティング装置との間のマルチキャストサービスチャネルを介して前記固定ネットワーク内の前記エッジルーティング装置に送信するように構成された第１のサービスデータ送信装置と
を備える、第１のサービス提供装置。
【請求項２】
前記ゲートウェイと前記固定ネットワーク内の前記エッジルーティング装置との間のマルチキャストサービスチャネルを判定するように構成された、第１のマルチキャストチャネル判定装置
をさらに備える、請求項１に記載の第１のサービス提供装置。
【請求項３】
固定ネットワーク内のエッジルーティング装置を介してモバイルコアネットワークに接続されたモバイル基地局を有するモバイル通信システムにおいて、前記固定ネットワーク内のエッジルーティング装置において、前記モバイル基地局にマルチキャストサービスを提供するための第２のサービス提供装置であって、
前記モバイル基地局からマルチキャスト管理メッセージを取得するように構成された、マルチキャスト管理メッセージのための第１の取得装置と、
前記マルチキャスト管理メッセージによって、前記マルチキャスト管理メッセージが属するマルチキャストバーチャルＬＡＮにおいてマルチキャストツリーを生成するように構成された、マルチキャストツリーのための第１の生成装置であって、前記マルチキャスト管理メッセージが属する前記マルチキャストバーチャルＬＡＮが前記固定ネットワーク内のアクセス／コンバージェンスネットワークにおいて、および前記少なくとも１つのモバイルコアネットワークの１つマルチキャストサービスのために、構成される、第１の生成装置と、
前記マルチキャストツリーによって、前記マルチキャスト管理メッセージによって要求されたマルチキャストサービスデータを送出するように構成された、サービスデータのための第２の送信装置と
を備える、第２のサービス提供装置。
【請求項４】
前記マルチキャスト管理メッセージによって、前記マルチキャスト管理メッセージが属するマルチキャストバーチャルＬＡＮを判定するように構成された、マルチキャストバーチャルＬＡＮのための第１の判定装置
をさらに備える、請求項３に記載の第２のサービス提供装置。
【請求項５】
前記エッジルーティング装置と、前記固定ネットワークを前記マルチキャストバーチャルＬＡＮがそのために使用されるモバイルコアネットワークと接続するゲートウェイとの間のマルチキャストサービスチャネルを判定するように構成された、マルチキャストチャネルのための第２の判定装置と、
前記マルチキャストサービスチャネルを介して前記マルチキャスト管理メッセージによって要求されたマルチキャストサービスデータを取得するように構成された、サービスデータのための第２の取得装置と
をさらに備える、請求項３または４に記載の第２のサービス提供装置。
【請求項６】
前記マルチキャスト管理メッセージがＩＧＭＰ追加メッセージである、請求項３から５のいずれかに記載の第２のサービス提供装置。
【請求項７】
固定ネットワーク内のアクセス装置を介して少なくとも１つのモバイルコアネットワークに接続されたモバイル基地局を有するモバイル通信システムにおいて、前記固定ネットワーク内のアクセス装置において、前記モバイル基地局にマルチキャストサービスを提供するための第３のサービス提供装置であって、
前記モバイル基地局からマルチキャスト管理メッセージを取得するように構成された、マルチキャスト管理メッセージのための第２の取得装置と、
前記マルチキャスト管理メッセージによって、前記マルチキャスト管理メッセージが属するマルチキャストバーチャルＬＡＮにおいてマルチキャストツリーを生成するように構成された、マルチキャストツリーのための第２の生成装置であって、前記マルチキャスト管理メッセージが属する前記マルチキャストバーチャルＬＡＮが、前記固定ネットワーク内のアクセス／コンバージェンスネットワークにおいて、および前記少なくとも１つのモバイルコアネットワークの１つのマルチキャストサービスのために、構成される、第２の生成装置と、
前記マルチキャスト管理メッセージが属するマルチキャストバーチャルＬＡＮにおいて前記マルチキャスト管理メッセージを転送するように構成された、マルチキャスト管理メッセージのための転送装置と、
前記マルチキャスト管理メッセージによって要求されたマルチキャストサービスデータを取得し、それを前記モバイル基地局に転送するように構成された、サービスデータ転送装置と
を備える、第３のサービス提供装置。
【請求項８】
前記マルチキャスト管理メッセージによって前記マルチキャスト管理メッセージが属するマルチキャストバーチャルＬＡＮを判定するように構成された、マルチキャストバーチャルＬＡＮのための第２の判定装置
をさらに備える、請求項７に記載の第３のサービス提供装置。
【請求項９】
マルチキャスト管理メッセージのための前記第２の取得装置によって取得された前記マルチキャスト管理メッセージによって、前記モバイル基地局がマルチキャストサービスを受信するための許可を有するかどうかを判断するように構成された、アクセス許可判断装置をさらに備え、
前記モバイル基地局が前記許可を有する場合は、前記第３のサービス提供装置内の残りの装置がそれぞれの動作を実行する、
請求項７または８に記載の第３のサービス提供装置。
【請求項１０】
前記マルチキャスト管理メッセージがＩＧＭＰ追加メッセージである、請求項７から９のいずれかに記載の第３のサービス提供装置。
【請求項１１】
請求項１から２のいずれか一項に記載の第１のサービス提供装置を備える、固定ネットワークとモバイルコアネットワークを接続するためのゲートウェイ。
【請求項１２】
請求項３から６のいずれか一項に記載の第２のサービス提供装置を備える、エッジルーティング装置。
【請求項１３】
請求項７から１０のいずれか一項に記載の第３のサービス提供装置を備える、アクセス装置。
【発明の詳細な説明】
【技術分野】
【０００１】
本発明は、固定ネットワークおよびモバイル通信システムに関し、具体的には、固定ネットワークにおいてモバイルマルチキャストサービスを伝送する方法およびその装置に関する。
【背景技術】
【０００２】
最近、モビリティのための３Ｇ開発およびブロードバンドのトレンドによって超小型モバイル基地局としてフェムトセルが導入されている。フェムトセルは、すでに顧客によって所有されているＡＤＳＬ、ＬＡＮなどのブロードバンド回線を介して接続され、ＩＰネットワークから遠端におけるモバイルネットワークへの接続は、モバイル信号のカバレッジが固定バックホールを経由してビル／住宅の中に延びるように、専用のゲートウェイを介して実施される。フェムトセルは、事業者の他のモバイル基地局と同じモードおよび周波数帯で、ＣＤＭＡ、ＧＳＭ、ＵＭＴＳおよび同様の規格に適用可能であり、したがって、携帯電話のようなＵＥのために普遍的に利用されることが可能である。フェムトセルは、ユーザ側の製品であり、パブリックＩＰネットワークを介してアクセス可能であり、したがって、セキュリティが動作保証にとっての大きな問題である。
【０００３】
ＩＰブロードバンドネットワークとモバイルコアネットワークとの間に構成される専用の安全なゲートウェイは、フェムトセルとモバイルコアネットワークをつなぐためのポータルである。どのフェムトセルもすべて、ＩＰｓｅｃの技術によってゲートウェイへの暗号経路をセットアップする。ゲートウェイは、多数の暗号経路を処理し、ＵＥアクセス／分離フェムトセルの切換えを管理する必要がある。
【０００４】
図１は、モバイルブロードキャスト／マルチキャストサービスが、従来技術のフェムトセルの技術によって、通信ネットワークにおいて固定バックホールネットワークによって伝送される図を示す。図１に示されているように、通信ネットワークは、ゲートウェイ１、エッジルーティング装置２、アクセス装置３、モバイル基地局４、およびブロードキャスト／マルチキャストサービスセンタ（ＢＭＳＣ）５０を備え、固定ネットワークは、アクセス／コンバージェンスネットワークおよびパブリックＩＰネットワークを備える。ゲートウェイ１は、モバイルコアネットワークとパブリックＩＰネットワークとの間に配置され、モバイル基地局４は、アクセス装置３を介して固定アクセス／コンバージェンスネットワークに接続され、エッジルーティング装置２を介してゲートウェイへの接続をセットアップする。図１には、２つのアクセス装置３ａおよび３ｂ、ならびに４つのモバイル基地局４ａ、４ｂ、４ｃ、４ｄが示されており、モバイル基地局装置４ａおよび４ｂは、アクセス装置３ａに接続され、モバイル基地局装置４ｃおよび４ｄは、アクセス装置３ｂに接続され、アクセス装置３ａおよび３ｂは、固定アクセス／コンバージェンスネットワークを経由してエッジルーティング装置２への接続をセットアップする。１つの従来技術では、ＵＥ（ユーザ機器）がモバイル基地局装置４を経由して通信するとき、ＩＰｓｅｃチャネルがモバイル基地局装置４とゲートウェイ装置１との間にセットアップされる。例えば、モバイル基地局装置４ａ、４ｂ、４ｃ、４ｄすべてが、ブロードキャスト・マルチキャスト・サービス・センタ５０からブロードキャスト／マルチキャストサービス６０を受信し、これら４つのモバイル基地局装置が、それぞれゲートウェイ装置１とＩＰｓｅｃチャネルを確立し、４つのＩＰｓｅｃチャネルが、それぞれブロードキャスト／マルチキャストサービス６０のコピー６０ａ、６０ｂ、６０ｃ、６０ｄの１つを搬送する。モバイルコアネットワークと、モバイル基地局、すなわちフェムトセルとの間でブロードキャスト／マルチキャストサービスを伝送するための方法は、従来技術では、多数のネットワークリソースを消費し、一方、大量のワークロードが、ゲートウェイ装置１、エッジルーティング装置２、アクセス装置３を含むネットワーク装置にもたらされることが分かる。
【発明の概要】
【発明が解決しようとする課題】
【０００５】
従来技術の上記の問題に対処するために、本発明では、固定ネットワークにおいてモバイルマルチキャストサービスを伝送するための方法および装置が提供される。
【課題を解決するための手段】
【０００６】
本発明の第１の態様によれば、固定ネットワーク内のエッジルーティング装置を介してモバイルコアネットワークに接続されたモバイル基地局を有するモバイル通信システムにおいて、固定ネットワークをモバイルコアネットワークと接続するゲートウェイによってモバイル基地局にサービスを提供する方法であって、ｉ．モバイルコアネットワークからサービスデータを取得するステップと、ｉｉ．モバイルコアネットワークからのサービスデータがマルチキャストサービスのデータである場合は、ゲートウェイと固定ネットワーク内のエッジルーティング装置との間のマルチキャストサービスチャネルを介して、固定ネットワーク内のエッジルーティング装置にマルチキャストサービスのデータを送信するステップとを含む方法が提供される。
【０００７】
本発明の第２の態様によれば、固定ネットワーク内のエッジルーティング装置を介してモバイルコアネットワークに接続されたモバイル基地局を有するモバイル通信システムにおいて、固定ネットワーク内のエッジルーティング装置によってモバイル基地局にマルチキャストサービスを提供する方法であって、Ｉ．モバイル基地局からマルチキャスト管理メッセージを取得するステップと、ＩＩＩ．マルチキャスト管理メッセージによって、マルチキャスト管理メッセージが属するマルチキャストバーチャルＬＡＮにおいてマルチキャストツリーを生成するステップであって、マルチキャスト管理メッセージが属するマルチキャストバーチャルＬＡＮが、固定ネットワーク内のアクセス／コンバージェンスネットワークにおいて、および少なくとも１つのモバイルコアネットワークの１つのマルチキャストサービスのために、構成される、ステップと、ＩＶ．マルチキャストツリーによって、マルチキャスト管理メッセージによって要求されたマルチキャストサービスデータを送出するステップとを含む方法が提供される。
【０００８】
本発明の第３の態様によれば、固定ネットワーク内のアクセス装置を介して少なくとも１つのモバイルコアネットワークに接続されたモバイル基地局を有するモバイル通信システムにおいて、固定ネットワーク内のアクセス装置によってモバイル基地局にマルチキャストサービスを提供する方法であって、α．モバイル基地局からマルチキャスト管理メッセージを取得するステップと、β．マルチキャスト管理メッセージによって、マルチキャスト管理メッセージが属するマルチキャストバーチャルＬＡＮにおいてマルチキャストツリーを生成するステップであって、マルチキャスト管理メッセージが属するマルチキャストバーチャルＬＡＮが、固定ネットワーク内のアクセス／コンバージェンスネットワークにおいて、および少なくとも１つのモバイルコアネットワークの１つのマルチキャストサービスのために、構成される、ステップと、γ．マルチキャスト管理メッセージが属するマルチキャストバーチャルＬＡＮにおいてマルチキャスト管理メッセージを転送するステップと、λ．マルチキャスト管理メッセージによって要求されたマルチキャストサービスデータを取得し、それをモバイル基地局に転送するステップとを含む方法が提供される。
【０００９】
本発明の第４の態様によれば、固定ネットワークをモバイルコアネットワークと接続するゲートウェイにおいて固定ネットワーク内のエッジルーティング装置を介してモバイルコアネットワークに接続されたモバイル基地局を有するモバイル通信システムにおいて、モバイル基地局にサービスを提供するための第１のサービス提供装置であって、モバイルコアネットワークからサービスデータを取得するように構成された第１のサービスデータ取得装置と、モバイルコアネットワークからのサービスデータがマルチキャストサービスのデータである場合は、ゲートウェイと固定ネットワーク内のエッジルーティング装置との間のマルチキャストサービスチャネルを介して、マルチキャストサービスのデータを固定ネットワーク内のエッジルーティング装置に送信するように構成された第１のサービスデータ送信装置とを備える第１のサービス提供装置が提供される。
【００１０】
本発明の第５の態様によれば、固定ネットワーク内のエッジルーティング装置を介してモバイルコアネットワークに接続されたモバイル基地局を有するモバイル通信システムにおいて、固定ネットワーク内のエッジルーティング装置において、モバイル基地局にマルチキャストサービスを提供するための第２のサービス提供装置であって、モバイル基地局からマルチキャスト管理メッセージを取得するように構成された、マルチキャスト管理メッセージのための第１の取得装置と、マルチキャスト管理メッセージによって、マルチキャスト管理メッセージが属するマルチキャストバーチャルＬＡＮにおいてマルチキャストツリーを生成するように構成された、マルチキャストツリーのための第１の生成装置であって、マルチキャスト管理メッセージが属するマルチキャストバーチャルＬＡＮが、固定ネットワーク内のアクセス／コンバージェンスネットワークにおいて、および少なくとも１つのモバイルコアネットワークの１つのマルチキャストサービスのために、構成される、第１の生成装置と、マルチキャストツリーによって、マルチキャスト管理メッセージによって要求されたマルチキャストサービスデータを送出するように構成された、サービスデータのための第２の送信装置とを備える第２のサービス提供装置が提供される。
【００１１】
本発明の第６の態様によれば、固定ネットワーク内のアクセス装置を介して少なくとも１つのモバイルコアネットワークに接続されたモバイル基地局を有するモバイル通信システムにおいて、固定ネットワーク内のアクセス装置において、モバイル基地局にマルチキャストサービスを提供するための第３のサービス提供装置であって、モバイル基地局からマルチキャスト管理メッセージを取得するように構成された、マルチキャスト管理メッセージのための第２の取得装置と、マルチキャスト管理メッセージによって、マルチキャスト管理メッセージが属するマルチキャストバーチャルＬＡＮにおいてマルチキャストツリーを生成するように構成された、マルチキャストツリーのための第２の生成装置であって、マルチキャスト管理メッセージが属するマルチキャストバーチャルＬＡＮが、固定ネットワーク内のアクセス／コンバージェンスネットワークにおいて、および少なくとも１つのモバイルコアネットワークの１つのマルチキャストサービスのために、構成される、第２の生成装置と、マルチキャスト管理メッセージが属するマルチキャストバーチャルＬＡＮにおいてマルチキャスト管理メッセージを転送するように構成された、マルチキャスト管理メッセージのための転送装置と、マルチキャスト管理メッセージによって要求されたマルチキャストサービスデータを取得し、それをモバイル基地局に転送するように構成された、サービスデータ転送装置とを備える第３のサービス提供装置が提供される。
【００１２】
本発明の第７の態様によれば、本発明の第４の態様による第１のサービス提供装置を備える、固定ネットワークをモバイルコアネットワークに結合するためのゲートウェイが提供される。
【００１３】
本発明の第８の態様によれば、本発明の第５の態様による第２のサービス提供装置を備える、エッジルーティング装置が提供される。
【００１４】
本発明の第９の態様によれば、本発明の第６の態様による第３のサービス提供装置を備える、アクセス装置が提供される。
【００１５】
本発明において提供される技術方式によって、固定ネットワーク内のネットワークリソースが節減されることが可能であり、各ネットワーク装置、例えばゲートウェイ、エッジルーティング装置、アクセス装置のペイロードが低減されることが可能である。
【００１６】
本発明の特徴、態様、および利点は、添付の図面の助けを借りて非限定的実施形態の以下の説明を読むことによって、より明らかになるであろう。
【図面の簡単な説明】
【００１７】
【図１】モバイルブロードキャスト／マルチキャストサービスが、従来技術におけるフェムトセルの技術によって、通信ネットワークにおいて固定バックホールネットワークによって伝送される図である。
【図２】モバイルブロードキャスト／マルチキャストサービスが、本発明の一実施形態による通信システムにおいて固定バックホールネットワークによって伝送される図である。
【図３】固定ネットワーク内のエッジルーティング装置を介してモバイルコアネットワークに接続されたモバイル基地局を有するモバイル通信システムにおいて、本発明の一実施形態による、固定ネットワークをモバイルコアネットワークと接続するためのゲートウェイによってモバイル基地局にサービスを提供する方法の流れ図である。
【図４】固定ネットワーク内のエッジルーティング装置を介してモバイルコアネットワークに接続されたモバイル基地局を有するモバイル通信システムにおいて、本発明の一実施形態による、固定ネットワーク内のエッジルーティング装置によってマルチキャストモバイル基地局にサービスを提供する方法の流れ図である。
【図５】固定ネットワーク内のアクセス装置を介して少なくとも１つのモバイルコアネットワークに接続されたモバイル基地局を有するモバイル通信システムにおいて、本発明の一実施形態による、固定ネットワーク内のアクセス装置によってモバイル基地局にマルチキャストサービスを提供する方法の流れ図である。
【図６】固定ネットワーク内のエッジルーティング装置を介してモバイルコアネットワークに接続されたモバイル基地局を有するモバイル通信システムにおいて、固定ネットワークをモバイルコアネットワークと接続するためのゲートウェイにおいて、本発明の一実施形態による、モバイル基地局にサービスを提供するための第１のサービス提供装置の機能ブロック図である。
【図７】固定ネットワーク内のエッジルーティング装置を介してモバイルコアネットワークに接続されたモバイル基地局を有するモバイル通信システムにおいて、固定ネットワーク内のエッジルーティング装置において、本発明の一実施形態による、モバイル基地局にマルチキャストサービスを提供するための第２のサービス提供装置の機能ブロック図である。
【図８】固定ネットワーク内のアクセス装置を介して少なくとも１つのモバイルコアネットワークに接続されたモバイル基地局を有するモバイル通信システムにおいて、固定ネットワーク内のアクセス装置において、本発明の一実施形態による、モバイル基地局にマルチキャストサービスを提供するための第３のサービス提供装置の機能ブロック図である。
【発明を実施するための形態】
【００１８】
上記の図では、同じまたは同様の参照数字は、同じまたは同様の装置（モジュール）ないし方法のステップを指す。
【００１９】
図２は、モバイルブロードキャスト／マルチキャストサービスが、本発明の一実施形態による通信システムにおいて固定バックホールネットワークによって伝送される図を示す。図２に示されているように、通信ネットワークは、モバイル基地局４、アクセス装置３、エッジルーティング装置２、ゲートウェイ１、およびブロードキャスト・マルチキャスト・サービス・センタ（ブロードキャスト／マルチキャストサービスセンタ、ＢＭＳＣ）５０を備え、固定ネットワークは、アクセス／コンバージェンスネットワークおよびパブリックＩＰネットワークを備える。モバイル基地局４は、アクセス装置３を介して固定アクセス／コンバージェンスネットワークにアクセスし、エッジルーティング装置２を介してパブリックＩＰネットワークにアクセスし、パブリックＩＰネットワークとモバイルコアネットワークとの間に配置されたゲートウェイ１を介してモバイルコアネットワーク７０との接続を確立する。モバイルコアネットワーク７０内のブロードキャスト・マルチキャスト・サービス・センタ５０は、ブロードキャスト・マルチキャスト・サービスを提供するために使用される。図２は、４つのモバイル基地局４ａ、４ｂ、４ｃ、４ｄ、および２つのアクセス装置３ａ、３ｂを示し、モバイル基地局４ａ、４ｂは、アクセス装置３ａに接続され、モバイル基地局４ｃ、４ｄは、アクセス装置３ｂに接続される。一般に、モバイル基地局４ａ−４ｄは、屋内に配置される。固定ネットワークにおいて使用される特定のアクセスモード、例えばＡＤＳＬモードまたはＬＡＮモードによれば、アクセス装置３ａ、３ｂは、デジタル加入者回線アクセスマルチプレクサ（ＤＳＬＡＭ）、ルータ、またはスイッチでよい。もちろん、固定ネットワークにおいて使用される特定のアクセスモード、および特定のタイプのアクセス装置３は、上記に限定されない。各装置の数は、図２には単に例示的に示されているだけであって、限定を意図するものではない。従来技術では、モバイルマルチキャストサービスを伝送するためにモバイル基地局４とゲートウェイ１との間にＩＰｓｅｃチャネルが確立される。本発明では、モバイルコアネットワーク７０においてモバイルマルチキャストサービスを伝送するためにゲートウェイ１とエッジルーティング装置２との間にマルチキャストサービスチャネルが確立され、一方、エッジルーティング装置２は、固定アクセス／コンバージェンスネットワークにおいてモバイル基地局４にモバイルマルチキャストサービスを提供する。
【００２０】
図３は、固定ネットワーク内のエッジルーティング装置を介してモバイルコアネットワークに接続されたモバイル基地局を有するモバイル通信システムにおいて、本発明の一実施形態による、固定ネットワークをモバイルコアネットワークと接続するためのゲートウェイによってモバイル基地局にサービスを提供する方法の流れ図を示す。
【００２１】
図４は、本発明の一実施形態による、固定ネットワーク内のエッジルーティング装置を介してモバイルコアネットワークに接続されたモバイル基地局を有するモバイル通信システムにおいて、固定ネットワーク内のエッジルーティング装置によってモバイル基地局にマルチキャストサービスを提供する方法の流れ図である。
【００２２】
図５は、固定ネットワーク内のアクセス装置を介して少なくとも１つのモバイルコアネットワークに接続されたモバイル基地局を有するモバイル通信システムにおいて、本発明の一実施形態による、固定ネットワーク内のアクセス装置によってモバイル基地局にマルチキャストサービスを提供する方法の流れ図である。
【００２３】
以下では、本発明は、図２から図５に関連して、方法面から説明される。
【００２４】
本発明の一実施形態によれば、ゲートウェイ１がモバイル基地局４ａにサービスを提供する方法は、以下のステップを含む。
【００２５】
ステップＳ１１において、ゲートウェイ１が、モバイルコアネットワークからサービスデータを取得する。例えば、ゲートウェイ１は、ブロードキャスト・マルチキャスト・サービス・センタ５０からモバイルマルチキャストサービスを取得する。
【００２６】
ステップＳ１３において、ゲートウェイ１がモバイルコアネットワークからのサービスデータのサービスタイプを判断する。サービスデータがマルチキャストサービスデータである場合は、ゲートウェイ１は、エッジルーティング装置２とゲートウェイ１との間のマルチキャストサービスチャネルを介してエッジルーティング装置２にマルチキャストサービスデータを送信する。サービスデータがマルチキャストサービスデータでない場合は、サービスデータは、ゲートウェイ１とモバイル基地局４ａとの間のＩＰｓｅｃチャネルの確立によって伝送されることが可能である。
【００２７】
好ましくは、ステップＳ１３の前に、ゲートウェイ１がそれ自体とエッジルーティング装置２との間のマルチキャストサービスチャネルを判定するステップがさらに含まれる。具体的には、マルチキャストサービスチャネルが以下のやり方で確立されることが可能である。第１のやり方では、普通は、ゲートウェイ１は複数のエッジルーティング装置と接続を確立するので、ゲートウェイ１とエッジルーティング装置２との間にポイント・ツー・マルチポイント・ラベル・スイッチド・チャネル（Ｐ２ＭＰ  ＬＳＰ）によってマルチキャストサービスチャネルを確立する。第２のやり方では、ゲートウェイ１とエッジルーティング装置２との間に総称ルーティングカプセル化トンネル（ＧＲＥトンネル）によってマルチキャストサービスチャネルを確立する。普通は、１つのエッジルーティング装置は複数のアクセス装置に接続され、一方、各アクセス装置はいくつかのモバイル基地局に結合され、したがって、統計的に、エッジルーティング装置２とゲートウェイ１との間のマルチキャストサービスは常に必要とされるとみなされてよい。上記２つのやり方に関しては、マルチキャストサービスチャネルは手動で設定され、この設定によって、ゲートウェイ１がそれ自体とエッジルーティング装置２との間のマルチキャストサービスチャネルを判定する。さらに、マルチキャストサービスチャネルは、ゲートウェイ１とエッジルーティング装置２との間に第３層マルチキャストプロトコルによって動的に確立されることが可能であり、使用されるマルチキャストプロトコルは、以下のプロトコル、すなわちＰＩＭ−ＳＭ、ＰＩＭ−ＤＭ、ＤＶＭＲＰ、ＭＯＳＰＦ、ＭＳＤＰのいずれか１つまたは複数でよい。
【００２８】
モバイルコアネットワーク７０がゲートウェイ１を介して固定ネットワークに接続されているときは、モバイルコアネットワーク７０からのモバイルマルチキャストサービスのために固定アクセス／コンバージェンスネットワークにおいて少なくとも１つのマルチキャストバーチャルＬＡＮが構成され、モバイルコアネットワーク７０からの異なるマルチキャストサービスは、同じマルチキャストバーチャルＬＡＮの中で伝送されるか、あるいは異なるマルチキャストバーチャルＬＡＮを介して伝送されることが可能である。そのようなマルチキャストバーチャルＬＡＮは、一般に、エッジルーティング装置２のいくつかのポート、およびいくつかのアクセス装置（１つまたは複数）３のいくつかのポートを備える。
【００２９】
普通は、異なるモバイル事業者は、異なるモバイルコアネットワークを所有する。異なるモバイルコアネットワークは、異なるゲートウェイを介して固定ネットワークに接続され、その場合、異なるマルチキャストバーチャルＬＡＮは、固定アクセス／コンバージェンスネットワークにおいて異なるモバイルコアネットワーク用に構成される必要がある。
【００３０】
本発明の一実施形態によれば、マルチキャストバーチャルＬＡＮは、固定アクセス／コンバージェンスネットワークにおいてモバイルコアネットワーク７０からの少なくともモバイルマルチキャストサービス用に構成され、マルチキャストバーチャルＬＡＮは、マルチキャストバーチャルＬＡＮが少なくともモバイル基地局４ａからエッジルーティング装置２への経路を備えるように、少なくともエッジルーティング装置２のポートの一部分、およびアクセス装置３ａのポートの一部分、例えばモバイル基地局４ａが接続されているポートを備える。そのような実施形態では、エッジルーティング装置２がモバイル基地局４ａにマルチキャストサービスを提供する方法は、以下のステップを含む。
【００３１】
ステップＳ２１において、エッジルーティング装置２がモバイル基地局４ａからマルチキャスト管理メッセージを取得する。そのようなマルチキャスト管理メッセージは、モバイルコアネットワーク７０にマルチキャストサービス６０を要求するために使用され、モバイルコアネットワーク７０においてモバイルマルチキャストサービス用に構成されたマルチキャストバーチャルＬＡＮにおいて伝送され、アクセス装置４ａによって転送され、エッジルーティング装置２によって受信される。
【００３２】
ステップＳ２３において、エッジルーティング装置２が、そのようなマルチキャスト管理メッセージによって、対応するマルチキャストバーチャルＬＡＮにおいてマルチキャストサービス６０のためのマルチキャストツリーを確立する。具体的には、マルチキャスト管理メッセージのコンテンツによって、エッジルーティング装置２が、マルチキャストサービス６０のためのマルチキャストツリーを構築するのを助けるために対応するポートを開く。
【００３３】
次いで、ステップＳ２４において、エッジルーティング装置２が、マルチキャストサービス６０のためのマルチキャストツリーによってマルチキャストサービス６０のデータを送出する。
【００３４】
エッジルーティング装置２は、場合によっては、異なるゲートウェイを介して異なるモバイルコアネットワークに接続され、モバイル基地局４ａは、異なるモバイルコアネットワークにモバイルマルチキャストサービスを要求することができる。したがって、ステップＳ２１の後に、かつステップＳ２３の前に、好ましくはステップ２２が含まれ、モバイル基地局４ａからのマルチキャスト管理メッセージによって、エッジルーティング装置２が、対応するマルチキャストバーチャルＬＡＮ、すなわちモバイルコアネットワーク７０のモバイルマルチキャストサービス用に構成されたマルチキャストバーチャルＬＡＮを判定する。
【００３５】
具体的には、エッジルーティング装置２が、以下のステップを実行することにより、モバイルコアネットワーク７０からマルチキャストサービス６０を取得する。第１に、エッジルーティング装置２がそれ自体とゲートウェイ１との間のマルチキャストサービスチャネルを判定する。前述のように、そのようなマルチキャストサービスチャネルは、ポイント・ツー・マルチポイント・ラベル・スイッチド・チャネルまたは総称ルーティングカプセル化トンネルによって手動で予め構成されることが可能である。そうでなければ、そのようなマルチキャストサービスチャネルは、エッジルーティング装置２とゲートウェイ１との間に第３層マルチキャストプロトコルによって動的に確立されることが可能であり、使用されるマルチキャストプロトコルは、以下のプロトコル、すなわちＰＩＭ−ＳＭ、ＰＩＭ−ＤＭ、ＤＶＭＲＰ、ＭＯＳＰＦ、ＭＳＤＰのいずれか１つまたは複数でよい。次いで、エッジルーティング装置２が、そのようなマルチキャストサービスチャネルを介してマルチキャストサービス６０のデータを取得する。
【００３６】
上記の実施形態では、アクセス装置３ａがモバイル基地局４ａにマルチキャストサービスを提供する方法は、以下のステップを含む。
【００３７】
ステップＳ３１において、アクセス装置３ａがモバイル基地局４ａからマルチキャスト管理メッセージを取得する。そのようなマルチキャスト管理メッセージは、モバイルコアネットワーク７０にマルチキャストサービス６０を要求するために使用される。
【００３８】
ステップＳ３２において、そのようなマルチキャスト管理メッセージによって、アクセス装置３ａが、モバイルコアネットワーク７０のモバイルマルチキャストサービス用に構成されたマルチキャストバーチャルＬＡＮにおいてマルチキャストサービス６０のためのマルチキャストツリーを構築する。具体的には、アクセス装置３ａが、マルチキャストサービス６０のためのマルチキャストツリーを構築するのを助けるために、そのようなマルチキャスト管理メッセージのコンテンツによって対応するポートを開く。
【００３９】
ステップＳ３３において、アクセス装置３ａが、そのようなマルチキャスト管理メッセージをエッジルーティング装置に伝送するために、モバイルコアネットワーク７０のモバイルマルチキャストサービス用に構成されたマルチキャストバーチャルＬＡＮにおいてそのようなマルチキャスト管理メッセージを転送する。
【００４０】
ステップＳ３４において、アクセス装置３ａがマルチキャストサービス６０のデータを取得し、それをモバイル基地局４ａに転送する。
【００４１】
エッジルーティング装置２は、場合によっては、異なるゲートウェイを介して異なるモバイルコアネットワークに接続され、モバイル基地局４ａは、場合によっては、異なるモバイルコアネットワークにモバイルマルチキャストサービスを要求する。したがって、ステップＳ３１の後に、かつステップＳ３２の前に、好ましくは、モバイル基地局４ａからのマルチキャスト管理メッセージによって、アクセス装置３ａが対応するマルチキャストバーチャルＬＡＮ、すなわちモバイルコアネットワーク７０のモバイルマルチキャストサービス用に構成されたマルチキャストバーチャルＬＡＮを判定するステップがさらに含まれる。
【００４２】
有利には、アクセス装置３ａは、無効な要求を有するマルチキャスト管理メッセージがマルチキャストバーチャルＬＡＮにおいて伝送されるのを防止するために、モバイルマルチキャストサービスにアクセス制御機能を提供する。具体的には、ステップＳ３１の後に、判断ステップが実行され、モバイル基地局４ａから取得されたマルチキャスト管理メッセージによって、マルチキャストサービス６０を受信するための許可をモバイル基地局４ａが有するかどうかをアクセス装置３ａが判断する。モバイル基地局４ａがそのような許可を有しない場合は、アクセス装置３ａは、そのようなマルチキャスト管理メッセージを廃棄する。モバイル基地局４ａがそのような許可を有する場合は、アクセス装置３ａは、前のステップＳ３２からＳ３４を続ける。
【００４３】
上記の実施形態では、特に、固定ネットワークにおいて異なるマルチキャストグループを確立し維持するために、ＩＧＭＰプロトコルが使用されることが可能である。具体的には、モバイル基地局４ａによって送信されるマルチキャスト管理メッセージは、ＩＧＭＰ追加メッセージでよい。
【００４４】
本発明における方法を利用することにより、固定ネットワーク内のネットワークリソースが節減されることが可能であり、各ネットワーク装置のペイロードが低減されることが可能である。例えば、モバイル基地局４ａ、４ｂ、４ｃ、４ｄすべてが、モバイルコアネットワーク７０にマルチキャストサービス６０を要求するときは、たとえいくつのモバイル基地局４がアクセス装置３ａ（または３ｂ）を介してマルチキャストサービス（６０）のデータを取得しても、パブリックＩＰネットワークでは、マルチキャストサービス６０を伝送するためにゲートウェイ１とエッジルーティング装置２との間に１つのマルチキャストサービスチャネルしか確立される必要がなく、アクセスネットワークでは、エッジルーティング装置２とアクセス装置３ａ（または３ｂ）との間のマルチキャストチャネル上でマルチキャストサービス６０のデータの１つのコピーしか伝送される必要がない。
【００４５】
図６は、固定ネットワーク内のエッジルーティング装置を介してモバイルコアネットワークに接続されたモバイル基地局を有するモバイル通信システムにおいて、固定ネットワークをモバイルコアネットワークと接続するためのゲートウェイにおいて、本発明の一実施形態による、モバイル基地局にサービスを提供するための第１のサービス提供装置の機能ブロック図を示す。図６に示されているように、第１のサービス提供装置１０は、第１のマルチキャストチャネル判定装置１０３、第１のサービスデータ取得装置１０１、第１のサービスデータ送信装置１０２を備える。本発明の様々な実施形態では、第１のサービス提供装置１０は、図６に示されている一部分のまたはすべての装置、および図に示されていないそれらの装置（１つまたは複数）を備えてよい。第１のサービス提供装置１０は、通常、ゲートウェイ１の中に構成される。
【００４６】
図７は、固定ネットワーク内のエッジルーティング装置を介してモバイルコアネットワークに接続されたモバイル基地局を有するモバイル通信システムにおいて、固定ネットワーク内のエッジルーティング装置において、本発明の一実施形態による、マルチキャストモバイル基地局にサービスを提供するための第２のサービス提供装置の機能ブロック図を示す。図７に示されているように、第２のサービス提供装置２０は、マルチキャスト管理メッセージのための第１の取得装置２０１と、マルチキャストバーチャルＬＡＮのための第１の判定装置２０２と、マルチキャストツリーのための第１の生成装置２０３と、サービスデータのための第２の送信装置２０４と、第２のマルチキャストチャネル判定装置２０５と、第２のサービスデータ取得装置２０６とを備える。本発明の様々な実施形態では、第２のサービス提供装置２０は、図７に示されているような一部分のまたはすべての装置、および図に示されていない他の装置（１つまたは複数）を備えてよい。第２のサービス提供装置２０は、通常、エッジルーティング装置２の中に構成される。
【００４７】
図８は、固定ネットワーク内のアクセス装置を介して少なくとも１つのモバイルコアネットワークに接続されたモバイル基地局を有するモバイル通信システムにおいて、固定ネットワーク内のアクセス装置において、本発明の一実施形態による、モバイル基地局にマルチキャストサービスを提供するための第３のサービス提供装置の機能ブロック図を示す。図８に示されているように、第３のサービス提供装置３０は、マルチキャスト管理メッセージのための第２の取得装置３０１と、アクセス許可判断装置３０２と、マルチキャストバーチャルＬＡＮのための第２の判定装置３０３と、マルチキャスト管理メッセージのための転送装置３０４と、サービスデータ転送装置３０５と、マルチキャストツリーのための第２の生成装置３０６とを備える。本発明の様々な実施形態では、第３のサービス提供装置３０は、図８に示されている一部分のまたはすべての装置、および図に示されていない他の装置（１つまたは複数）を備えてよい。第３のサービス提供装置３０は、通常、アクセス装置３ａ、３ｂの中に構成される。
【００４８】
本発明のための装置面からの説明が、図２、図６、図７、図８に関連して行われる。
【００４９】
本発明の一実施形態によれば、ゲートウェイ１における第１のサービス提供装置１０は、第１のサービスデータ取得装置１０１、第１のサービスデータ送信装置１０２を備える。モバイル基地局４ａにサービスを提供するために第１のサービス提供装置１０において以下の動作が行われる。
【００５０】
第１に、第１のサービスデータ取得装置１０１がモバイルコアネットワークからサービスデータを取得する。例えば、第１のサービスデータ取得装置１０１がブロードキャスト・マルチキャスト・サービス・センタ５０からモバイルマルチキャストサービスを取得する。
【００５１】
次いで、第１のサービスデータ送信装置１０２がモバイルコアネットワークからのサービスデータのサービスタイプを判断する。サービスデータがマルチキャストサービスデータである場合は、第１のサービスデータ送信装置１０２は、マルチキャストサービスデータをエッジルーティング装置２とゲートウェイ１との間のマルチキャストサービスチャネルを介してエッジルーティング装置２に送信する。サービスデータがマルチキャストサービスデータでない場合は、第１のサービスデータ送信装置１０２は、ゲートウェイ１とモバイル基地局４ａとの間のＩＰｓｅｃチャネルによってサービスデータを伝送することができる。
【００５２】
好ましくは、第１のサービス提供装置１０は、ゲートウェイ１とエッジルーティング装置２との間のマルチキャストサービスチャネルを判定するために使用される第１のマルチキャストチャネル判定装置１０３をさらに備える。具体的には、マルチキャストサービスチャネルは、以下のやり方で確立されることが可能である。第１のやり方では、普通は、ゲートウェイ１は複数のエッジルーティング装置と接続を確立するので、ゲートウェイ１とエッジルーティング装置２との間にポイント・ツー・マルチポイント・ラベル・スイッチド・チャネル（Ｐ２ＭＰ  ＬＳＰ）によってマルチキャストサービスチャネルを確立する。第２のやり方では、ゲートウェイ１とエッジルーティング装置２との間に総称ルーティングカプセル化トンネル（ＧＲＥトンネル）によってマルチキャストサービスチャネルを確立する。普通は、１つのエッジルーティング装置は複数のアクセス装置に接続され、一方、各アクセス装置は、いくつかのモバイル基地局に結合され、したがって、統計的に、エッジルーティング装置２とゲートウェイ１との間にはマルチキャストサービスが常に必要とされるとみなされてよい。上記２つのやり方に関しては、マルチキャストサービスチャネルは手動で構成され、第１のマルチキャストチャネル判定装置１０３は、構成によって、ゲートウェイ１とエッジルーティング装置２との間のマルチキャストサービスチャネルを判定する。さらに、ゲートウェイ１とエッジルーティング装置２との間のマルチキャストサービスチャネルは、第３層マルチキャストプロトコルによって、第１のマルチキャストチャネル判定装置１０３およびエッジルーティング装置２内の対応する装置によって動的に確立されることが可能であり、使用されるマルチキャストプロトコルは、以下のプロトコル、すなわちＰＩＭ−ＳＭ、ＰＩＭ−ＤＭ、ＤＶＭＲＰ、ＭＯＳＰＦ、ＭＳＤＰのいずれか１つまたは複数でよい。
【００５３】
モバイルコアネットワーク７０がゲートウェイ１を介して固定ネットワークに接続されているときは、少なくとも１つのマルチキャストバーチャルＬＡＮが、モバイルコアネットワーク７０からのモバイルマルチキャストサービスのために、固定アクセス／コンバージェンスネットワークにおいて構成され、モバイルコアネットワーク７０からの異なるマルチキャストサービスは、同じマルチキャストバーチャルＬＡＮの中で伝送されるか、あるいは異なるマルチキャストバーチャルＬＡＮを介して伝送されることが可能である。そのようなマルチキャストバーチャルＬＡＮは、一般に、エッジルーティング装置２のいくつかのポート、およびいくつかのアクセス装置（１つまたは複数）３のいくつかのポートを備える。
【００５４】
普通は、異なるモバイル事業者は、異なるモバイルコアネットワークを所有する。異なるモバイルコアネットワークは、異なるゲートウェイを介して固定ネットワークに接続され、異なるマルチキャストバーチャルＬＡＮが、固定アクセス／コンバージェンスネットワークにおいて異なるモバイルコアネットワーク用に構成される必要がある。
【００５５】
本発明の一実施形態によれば、マルチキャストバーチャルＬＡＮは、少なくとも固定アクセス／コンバージェンスネットワークにおいてモバイルコアネットワーク７０からのモバイルマルチキャストサービス用に構成され、マルチキャストバーチャルＬＡＮは、マルチキャストバーチャルＬＡＮが少なくともモバイル基地局４ａからエッジルーティング装置２への経路を備えるように、少なくとも、エッジルーティング装置２のポートの一部分、およびアクセス装置３ａのポートの一部分、例えばモバイル基地局４ａが接続されているポートを備える。そのような実施形態では、エッジルーティング装置２内の第２のサービス提供装置２０は、マルチキャスト管理メッセージのための第１の取得装置２０１と、マルチキャストツリーのための第１の生成装置２０３と、サービスデータのための第２の送信装置２０４とを備える。モバイル基地局４ａにマルチキャストサービスを提供するために第２のサービス提供装置２０において以下の動作が行われる。
【００５６】
マルチキャスト管理メッセージのための第１の取得装置２０１がモバイル基地局４ａからマルチキャスト管理メッセージを取得する。そのようなマルチキャスト管理メッセージは、モバイルコアネットワーク７０にマルチキャストサービス６０を要求するために使用され、モバイルコアネットワーク７０においてモバイルマルチキャストサービス用に構成されたマルチキャストバーチャルＬＡＮにおいて伝送され、アクセス装置４ａによって転送され、エッジルーティング装置２においてマルチキャスト管理メッセージのための第１の取得装置２０１によって受信される。
【００５７】
マルチキャストツリーのための第１の生成装置２０３が、そのようなマルチキャスト管理メッセージによって、対応するマルチキャストバーチャルＬＡＮにおいてマルチキャストサービス６０のためのマルチキャストツリーを確立する。具体的には、マルチキャストツリーのための第１の生成装置２０３が、マルチキャスト管理メッセージのコンテンツによって、マルチキャストサービス６０のためのマルチキャストツリーを構築するのを助けるために、対応するポートを開く。
【００５８】
サービスデータのための第２の送信装置２０４が、マルチキャストサービス６０のためのマルチキャストツリーによってマルチキャストサービス６０のデータを送出する。
【００５９】
エッジルーティング装置２は、場合によっては、異なるゲートウェイを介して異なるモバイルコアネットワークに接続され、モバイル基地局４ａは異なるモバイルコアネットワークにモバイルマルチキャストサービスを要求することができる。したがって、好ましくは、第２のサービス提供装置２０は、モバイル基地局４ａからのマルチキャスト管理メッセージによって、対応するマルチキャストバーチャルＬＡＮ、すなわちモバイルコアネットワーク７０のモバイルマルチキャストサービス用に構成されたマルチキャストバーチャルＬＡＮを判定するように構成されたマルチキャストバーチャルＬＡＮ２０２のための第１の判定装置をさらに備える。
【００６０】
具体的には、第２のサービス提供装置２０は、第２のマルチキャストチャネル判定装置２０５と、第２のサービスデータ取得装置２０６とをさらに備える。第２のサービス提供装置２０は、以下の動作を行うことによりモバイルコアネットワーク７０からマルチキャストサービス６０を取得する。第１に、第２のマルチキャストチャネル判定装置２０５が、エッジルーティング装置２とゲートウェイ１との間のマルチキャストサービスチャネルを判定する。前述のように、そのようなマルチキャストサービスチャネルは、ポイント・ツー・マルチポイント・ラベル・スイッチド・チャネルまたは総称ルーティングカプセル化トンネルによって手動で予め構成されることが可能であり、第２のマルチキャストチャネル判定装置２０５が、そこでの構成によってそのようなマルチキャストサービスチャネルを判定する。そうでなければ、そのようなマルチキャストサービスチャネルは、エッジルーティング装置２内の第２のマルチキャストチャネル判定装置２０５とゲートウェイ１内の第１のマルチキャストチャネル判定装置１０３との間に第３層マルチキャストプロトコルによって動的に確立されることが可能であり、使用されるマルチキャストプロトコルは、以下のプロトコル、すなわちＰＩＭ−ＳＭ、ＰＩＭ−ＤＭ、ＤＶＭＲＰ、ＭＯＳＰＦ、ＭＳＤＰのいずれか１つまたは複数でよい。次いで、第２のサービスデータ取得装置２０６が、そのようなマルチキャストサービスチャネルを介してマルチキャストサービス６０のデータを取得する。
【００６１】
上記の実施形態では、アクセス装置３ａにおける第３のサービス提供装置３０は、マルチキャスト管理メッセージのための第２の取得装置３０１と、マルチキャストツリーのための第２の生成装置３０６と、マルチキャスト管理メッセージのための転送装置３０４と、サービスデータ転送装置３０５とを備える。モバイル基地局４ａにマルチキャストサービスを提供するために第３のサービス提供装置３０において以下の動作が行われる。
【００６２】
第１に、マルチキャスト管理メッセージのための第２の取得装置３０１がモバイル基地局４ａからマルチキャスト管理メッセージを取得する。そのようなマルチキャスト管理メッセージは、モバイルコアネットワーク７０にマルチキャストサービス６０を要求するために使用される。
【００６３】
次いで、そのようなマルチキャスト管理メッセージによって、マルチキャストツリーのための第２の生成装置３０６が、モバイルコアネットワーク７０のモバイルマルチキャストサービス用に構成されたマルチキャストバーチャルＬＡＮにおいてマルチキャストサービス６０のためのマルチキャストツリーを構築する。具体的には、マルチキャストツリーのための第２の生成装置３０６が、マルチキャストサービス６０のためのマルチキャストツリーを構築するのを助けるために、そのようなマルチキャスト管理メッセージのコンテンツによってアクセス装置３ａの対応するポートを開く。
【００６４】
マルチキャスト管理メッセージのための転送装置３０４が、そのようなマルチキャスト管理メッセージをエッジルーティング装置２に伝送するために、モバイルコアネットワーク７０のモバイルマルチキャストサービス用に構成されたマルチキャストバーチャルＬＡＮにおいてそのようなマルチキャスト管理メッセージを転送する。
【００６５】
後ほど、サービスデータ転送装置３０５が、マルチキャストサービス６０のデータを取得し、それをモバイル基地局４ａに転送する。
【００６６】
エッジルーティング装置２は、場合によっては、異なるゲートウェイを介して異なるモバイルコアネットワークに接続され、モバイル基地局４ａは、場合によっては、異なるモバイルコアネットワークにモバイルマルチキャストサービスを要求する。したがって、好ましくは、第３のサービス提供装置３０は、モバイル基地局４ａからのマルチキャスト管理メッセージによって、対応するマルチキャストバーチャルＬＡＮ、すなわちモバイルコアネットワーク７０のモバイルマルチキャストサービス用に構成されたマルチキャストバーチャルＬＡＮを判定するように構成された、マルチキャストバーチャルＬＡＮのための第２の判定装置３０３をさらに備える。
【００６７】
有利には、アクセス装置３ａは、無効な要求を有するマルチキャスト管理メッセージがマルチキャストバーチャルＬＡＮにおいて伝送されるのを防止するために、モバイルマルチキャストサービスにアクセス制御機能を提供する。具体的には、第３のサービス提供装置３０はアクセス許可判断装置３０２をさらに備える。マルチキャスト管理メッセージのための第２の取得装置３０１がモバイル基地局４ａからマルチキャスト管理メッセージを取得した後に、モバイル基地局４ａから取得されたマルチキャスト管理メッセージによって、モバイル基地局４ａがマルチキャストサービス６０を受信するための許可を有するかどうかをアクセス許可判断装置３０２が判断する。モバイル基地局４ａがそのような許可を有しない場合は、第３のサービス提供装置３０は、そのようなマルチキャスト管理メッセージを廃棄する。モバイル基地局４ａがそのような許可を有する場合は、第３のサービス提供装置３０におけるマルチキャストツリーのための第２の生成装置３０６、マルチキャスト管理メッセージのための転送装置３０４、およびサービスデータ転送装置３０５などは、それぞれ個々の動作を続ける。
【００６８】
上記の実施形態では、特に、固定ネットワークにおいて異なるマルチキャストグループを確立し維持するために、ＩＧＭＰプロトコルが使用されることが可能である。具体的には、モバイル基地局４ａによって送信されるマルチキャスト管理メッセージは、ＩＧＭＰ追加メッセージでよい。
【００６９】
本発明における装置を利用することにより、固定ネットワーク内のネットワークリソースが節減されることが可能であり、各ネットワーク装置のペイロードが低減されることが可能である。例えば、モバイル基地局４ａ、４ｂ、４ｃ、４ｄすべてが、モバイルコアネットワーク７０にマルチキャストサービス６０を要求するときは、たとえいくつのモバイル基地局４がアクセス装置３ａ（または３ｂ）を介してマルチキャストサービス（６０）のデータを取得しても、パブリックＩＰネットワークでは、マルチキャストサービス６０を伝送するためにゲートウェイ１とエッジルーティング装置２との間に１つのマルチキャストサービスチャネルしか確立される必要がなく、アクセスネットワークでは、エッジルーティング装置２とアクセス装置３ａ（または３ｂ）との間のマルチキャストチャネル上でマルチキャストサービス６０のデータの１つのコピーしか伝送される必要がない。
【００７０】
本発明における装置（１つまたは複数）は、ハードウェア装置としてまたはソフトウェアの機能モジュールとして実施されることが可能であることを当業者は理解することができる。
【００７１】
説明は、前述のように、本発明の非限定的実施形態に関して行われるが、本発明は特定のシステム、装置、および特定のプロトコルに限定されず、当業者は、添付の特許請求の範囲の範囲内でいかなる変更または修正をも行うことができる。
【図１】
0005208284.tif 000002
【図２】
0005208284.tif 000003
【図３】
0005208284.tif 000004
【図４】
0005208284.tif 000005
【図５】
0005208284.tif 000006
【図６】
0005208284.tif 000007
【図７】
0005208284.tif 000008
【図８】
0005208284.tif 000009